(57)【要約】【課題】  ユーザーは一つの立体メガネを利用して複数のディスプレイ装置に表示される３Ｄ映像を鮮かに見ることができる。【解決手段】  本発明は、ディスプレイ装置及びその駆動方法、シャッター方式の立体メガネ及びその駆動方法に係り、本発明によるディスプレイ装置は、交番的な左眼映像及び右眼映像を含む映像信号を受信する信号受信部と；信号受信部で受信される映像信号を処理する信号処理部と；信号処理部によって処理される映像信号に基づいて立体映像を表示するディスプレイ部と；立体メガネから左眼映像及び右眼映像のための同期信号を受信する同期信号受信部と；同期信号に基づいて前記左眼映像及び前記右眼映像が前記左眼シャッター部及び前記右眼シャッター部の開閉に対応して交番的に表示されるように前記信号処理部を制御する制御部と；を含む。【選択図】      図１
2011155631.tif 000002
【特許請求の範囲】
【請求項１】
左眼シャッター部及び右眼シャッター部を備えるシャッター方式の立体メガネを利用するディスプレイ装置において、
左眼映像及び右眼映像を含む映像信号を受信する信号受信部と；
前記信号受信部に受信される映像信号を処理する信号処理部と；
前記信号処理部によって処理される前記映像信号に基づいて立体映像を表示するディスプレイ部と；
前記立体メガネから前記左眼映像及び前記右眼映像のための同期信号を受信する同期信号受信部と；
前記同期信号に基づいて前記左眼映像及び前記右眼映像が前記左眼シャッター部及び前記右眼シャッター部の開閉に対応して交番的に表示されるように前記信号処理部を制御する制御部と；
を含むことを特徴とするディスプレイ装置。
【請求項２】
前記同期信号受信部は、前記同期信号をＲＦ信号で受信することを特徴とする請求項１に記載のディスプレイ装置。
【請求項３】
前記同期信号受信部は、前記同期信号をＩＲ信号で受信することを特徴とする請求項１に記載のディスプレイ装置。
【請求項４】
ディスプレイ装置に交番的に表示される左眼映像及び右眼映像をユーザーにディスプレイするためのシャッター方式の立体メガネにおいて、
交番的に開閉される左側シャッター部及び右側シャッター部を含むシャッター部と；
前記左眼映像及び前記右眼映像が前記左眼シャッター部及び前記右眼シャッター部の開閉に対応して交番的に表示されるための同期信号を生成する同期信号生成部と；
前記同期信号生成部で生成された前記同期信号を前記ディスプレイ装置に伝送する信号送信部と；
を含むことを特徴とするシャッター方式の立体メガネ。
【請求項５】
左眼シャッター部及び右眼シャッター部を備えるシャッター方式の立体メガネを利用するディスプレイ装置の駆動方法において、
入力される交番的な左眼映像及び右眼映像を含む映像信号を処理する段階と；
前記立体メガネから前記左眼映像及び前記右眼映像のための同期信号を受信する段階と；
前記同期信号に基づいて前記左眼映像及び前記右眼映像を前記左眼シャッター部及び前記右眼シャッター部の開閉に対応して交番的に表示する段階と；
を含むことを特徴とするディスプレイ装置の駆動方法。
【請求項６】
前記受信する段階は、前記同期信号をＲＦ信号で受信することを特徴とする請求項５に記載のディスプレイ装置の駆動方法。
【請求項７】
前記受信する段階は、前記同期信号をＩＲ信号で受信することを特徴とする請求項５に記載のディスプレイ装置の駆動方法。
【請求項８】
ディスプレイ装置に交番的に表示される左眼映像及び右眼映像をユーザーにディスプレイするためのシャッター方式の立体メガネの駆動方法において、
左眼シャッター部及び右眼シャッター部を交番的に開閉させる段階と；
前記左眼映像及び前記右眼映像が前記左眼シャッター部及び前記右眼シャッター部の開閉に対応して交番的に表示されるための同期信号を生成する段階と；
前記同期信号を前記ディスプレイ装置に伝送する段階と；
を含むことを特徴とするシャッター方式の立体メガネの駆動方法。
【請求項９】
シャッター方式の立体メガネと通信するディスプレイ装置において、
左眼映像及び右眼映像を含む映像信号を受信する信号受信部と；
前記信号受信部に受信される映像信号を処理する信号処理部と；
前記信号処理部によって処理される前記映像信号に基づいて立体映像を表示するディスプレイ部と；
前記立体メガネから前記シャッター方式のシャッターリングに対応される同期信号を受信する同期信号受信部と；
前記同期信号に基づいて垂直同期信号（Vsync）を生成し、前記垂直同期信号に基づいて前記立体映像が表示されるようにする制御部と；
を含むことを特徴とするディスプレイ装置。
【請求項１０】
前記制御部は、
前記信号処理部で処理された前記左眼映像及び前記右眼映像を交番的にディスプレイすることによって前記立体映像を表示することを特徴とする請求項９に記載のディスプレイ装置。
【請求項１１】
複数のディスプレイ装置で交番的に表示される左眼映像及び右眼映像をユーザーにディスプレイするためのシャッター方式の立体メガネにおいて、
交番的に開閉される左眼シャッター部及び右眼シャッター部を含むシャッター部と；
前記シャッター方式のシャッターリングに対応される同期信号を生成する同期信号生成部と；
前記同期信号を前記複数のディスプレイ装置に伝送する信号送信部と；
を含むことを特徴とするシャッター方式の立体メガネ。
【請求項１２】
前記同期信号は、前記左眼シャッター部がオンになる時にトグル（toggle）することを特徴とする請求項１１に記載のシャッター方式の立体メガネ。
【請求項１３】
前記同期信号は、前記右眼シャッター部がオンになる時にトグル（toggle）することを特徴とする請求項１１に記載のシャッター方式の立体メガネ。
【請求項１４】
前記同期信号は、前記左眼シャッター部及び前記右眼シャッター部がオンになる時にトグル（toggle）することを特徴とする請求項１１に記載のシャッター方式の立体メガネ。
【発明の詳細な説明】
【技術分野】
【０００１】
本発明は、ディスプレイ装置及びその駆動方法、シャッター方式の立体メガネ及びその駆動方法に係り、さらに詳しくは、鮮かな映像を提供することができるディスプレイ装置及びその駆動方法、シャッター方式の立体メガネ及びその駆動方法に関する。
【背景技術】
【０００２】
一般的に、ＴＶなどのようなディスプレイ装置によって表示される３Ｄ映像は、一般的に近距離で立体感を認識するようにする最大の要因である両眼時差（binocular  parallax）を利用して物体の立体感を感じるようにする。３Ｄ映像は、シャッター方式の立体メガネを利用して見られるのに、ディスプレイ装置は、左眼映像及び右眼映像を交代で早くディスプレイし、左眼映像及び右眼映像と同期されるようにシャッター方式の立体メガネを開閉させることによって３Ｄ映像を具現する。すなわち、ディスプレイ装置の左眼映像が画面にディスプレイされる時には、立体メガネの左眼シャッターは開放され右眼シャッターは閉鎖され、ディスプレイ装置の右眼映像がディスプレイされる時には、立体メガネの右眼シャッターは開放され左眼シャッターは閉鎖される。
【０００３】
このような動作を行うためにディスプレイ装置は、立体メガネに同期信号を出力する。ただ、一つの立体メガネを利用して複数のディスプレイ装置で表示される３Ｄ映像を見る場合には、各ディスプレイ装置で出力する同期信号が異なって鮮かな映像を提供し難いと言う問題が発生する。
【発明の概要】
【発明が解決しようとする課題】
【０００４】
従って、本発明の目的は、ユーザーが一つの立体メガネを利用して複数のディスプレイ装置で表示される３Ｄ映像を鮮かに見られるディスプレイ装置及びその駆動方法、シャッター方式の立体メガネ及びその駆動方法を提供することである。
【課題を解決するための手段】
【０００５】
本発明の目的は、左眼シャッター部及び右眼シャッター部を備えるシャッター方式の立体メガネを利用するディスプレイ装置において、左眼映像及び右眼映像を含む映像信号を受信する信号受信部と；前記信号受信部で受信される映像信号を処理する信号処理部と；前記信号処理部によって処理される前記映像信号に基づいて立体映像を表示するディスプレイ部と；前記立体メガネから前記左眼映像及び前記右眼映像のための同期信号を受信する同期信号受信部と；前記同期信号に基づいて前記左眼映像及び前記右眼映像が前記左眼シャッター部及び前記右眼シャッター部の開閉に対応して交番的に表示されるように前記信号処理部を制御する制御部と；を含むディスプレイ装置によって達成されることができる。
【０００６】
ここで、同期信号受信部は、前記同期信号をＲＦ信号またはＩＲ信号で受信することができる。
【０００７】
一方、本発明の目的は、ディスプレイ装置に交番的に表示される左眼映像及び右眼映像をユーザーにディスプレイするためのシャッター方式の立体メガネにおいて、交番的に開閉される左側シャッター部及び右側シャッター部を含むシャッター部と；前記左眼映像及び前記右眼映像が前記左眼シャッター部及び前記右眼シャッター部の開閉に対応して交番的に表示されるための同期信号を生成する同期信号生成部と；前記同期信号生成部で生成された前記同期信号を前記ディスプレイ装置に伝送する信号送信部と；を含むシャッター方式の立体メガネによって達成されることができる。
【０００８】
また、本発明の目的は、シャッター方式の立体メガネと通信するディスプレイ装置において、左眼映像及び右眼映像を含む映像信号を受信する信号受信部と；前記信号受信部で受信される映像信号を処理する信号処理部と；前記信号処理部によって処理される前記映像信号に基づいて立体映像を表示するディスプレイ部と；前記立体メガネから前記シャッター方式のシャッターリングに対応される同期信号を受信する同期信号受信部と；前記同期信号に基づいて垂直同期信号（Vsync）を生成し、前記垂直同期信号に基づいて前記立体映像が表示されるようにする制御部と；を含むことを特徴とするディスプレイ装置によって達成されることができる。
【０００９】
ここで、制御部は、信号処理部で処理された前記左眼映像及び前記右眼映像を交番的にディスプレイすることによって前記立体映像を表示することができる。
【００１０】
また、本発明の目的は、複数のディスプレイ装置で交番的に表示される左眼映像及び右眼映像をユーザーにディスプレイするためのシャッター方式の立体メガネにおいて、交番的に開閉される左眼シャッター部及び右眼シャッター部を含むシャッター部と；前記シャッター方式のシャッターリングに対応される同期信号を生成する同期信号生成部と；前記同期信号を前記複数のディスプレイ装置に伝送する信号送信部と；を含むことを特徴とするシャッター方式の立体メガネによって達成されることができる。
【００１１】
ここで、同期信号は、左眼シャッター部がオンになる時に、または右眼シャッター部がオンになる時にトグル（toggle）することができる。また、左眼シャッター部及び右眼シャッター部がオンになる時にトグル（toggle）することができる。
【００１２】
また、制御部は、前記信号処理部で処理された前記左眼映像及び前記右眼映像を交番的にディスプレイすることによって前記立体映像を表示することができる。
【００１３】
また、本発明の目的は、シャッターリングに対応される同期信号を生成し、前記同期信号を複数のディスプレイ装置に伝送するシャッター方式の立体メガネと；前記同期信号を受信し、前記受信した同期信号に基づいて垂直同期信号（Vsync）を生成し、前記垂直同期信号に基づいて立体映像を表示する複数のディスプレイ装置と；を含むことを特徴とするディスプレイシステムによって達成されることができる。
【００１４】
ここで、複数のディスプレイ装置は、左眼映像及び右眼映像を交番的にディスプレイすることによって前記立体映像を表示することができる。
【００１５】
また、同期信号は、前記立体メガネの左眼シャッター部がオンになる時に、または右眼シャッター部がオンになる時にトグル（toggle）することができる。または、前記立体メガネの右眼シャッター及び左眼シャッターがオンになる時にトグル（toggle）するできる。
【００１６】
また、本発明の目的は、左眼シャッター部及び右眼シャッター部を備えるシャッター方式の立体メガネを利用するディスプレイ装置の駆動方法において、入力される交番的な左眼映像及び右眼映像を含む映像信号を処理する段階と；前記立体メガネから前記左眼映像及び前記右眼映像のための同期信号を受信する段階と；前記同期信号に基づいて前記左眼映像及び前記右眼映像を前記左眼シャッター部及び前記右眼シャッター部の開閉に対応して交番的に表示する段階と；を含むディスプレイ装置の駆動方法によって達成されることができる。
【００１７】
ここで、受信する段階は、前記同期信号をＲＦ信号またはＩＲ信号で受信することができる。
【００１８】
一方、本発明の目的は、ディスプレイ装置に交番的に表示される左眼映像及び右眼映像をユーザーにディスプレイするためのシャッター方式の立体メガネの駆動方法において、左眼シャッター部及び右眼シャッター部を交番的に開閉させる段階と；前記左眼映像及び前記右眼映像が前記左眼シャッター部及び前記右眼シャッター部の開閉に対応して交番的に表示されるための同期信号を生成する段階と；前記同期信号を前記ディスプレイ装置に伝送する段階と；を含むシャッター方式の立体メガネの駆動方法によって達成されることができる。
【発明の効果】
【００１９】
前述のように、本発明によると、立体メガネで同期信号を生成してディスプレイ装置に伝送するので、ユーザーが一つの立体メガネを利用して複数のディスプレイ装置で表示される３Ｄ映像を見る場合にも、鮮やかな映像を提供することができる。
【図面の簡単な説明】
【００２０】
【図１】本発明の一実施形態によるディスプレイ装置の構成を示す図である。
【図２】本発明の一実施形態によるシャッター方式の立体メガネの構成を示す図である。
【図３】本発明の一実施形態によるディスプレイ装置の動作を示すフローチャートである。
【図４】本発明の一実施形態によるシャッター方式の立体メガネの動作を示すフローチャートである。
【発明を実施するための形態】
【００２１】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００２２】
図１は、本発明の一実施形態によるディスプレイ装置１０の構成を示す図である。図１に示すように、本実施形態によるディスプレイ装置１０は、信号受信部１００、信号処理部１１０、ディスプレイ部１２０、同期信号受信部１３０及び制御部１４０を含む。
【００２３】
信号受信部１００は、左眼映像及び右眼映像を含む映像信号を受信するのに、映像信号は、交番的な左眼映像及び右眼映像を含むことができる。また、信号受信部１００によって受信される映像信号は、ＤＴＶ信号、ケーブル放送信号などのような放送信号を含む。この場合、信号受信部１００は、制御部１４０の制御によってユーザーが選択したチャンネルの放送信号をチューニングして受信することができる。また、信号受信部１００によって受信される映像信号は、ＤＶＤ、ＢＤなどのような映像器機から出力される信号を含むことができる。また、図示されなかったが、信号受信部１００は、音声出力のための音声信号、データ情報の出力のためのデータ信号などを受信することができる。本実施形態による映像信号、音声信号及びデータ信号は、一つの放送信号を通じて共に受信されることができる。
【００２４】
信号処理部１１０は、受信される左眼映像及び右眼映像を含む映像信号をディスプレイ部１２０に立体映像がディスプレイされるように所定の信号処理を行う。信号処理部１１０によって行われる信号処理は、映像信号に関するデコーディング、イメージインヘンシング、スケーリングなどを含む。また、信号処理部１１０は、信号受信部１００を通じて受信される放送信号から、映像信号、音声信号及びデータ信号をそれぞれ分離するデマルチプレクシングなどを含めて、音声信号及びデータ信号に対するデコーディング処理なども行うことができる。この場合、ディスプレイ装置１０は、信号処理部１１０によって処理された音声信号に基づく音声を出力することができるスピーカーのような音声出力部（図示せず）をさらに含むことができる。
【００２５】
ディスプレイ部１２０は、信号処理部１１０によって処理された映像信号に基づいて映像をディスプレイする。ディスプレイ部１２０が映像を表示する方式は、例えばＬＣＤ方式であることができる。この場合、ディスプレイ部１２０は、図示しなかったが、ＬＣＤパネル、パネル駆動部、バックライトなどを含むことができる。バックライトは、ＬＥＤのような光源を含むこともできる。ディスプレイ部１２０は、信号処理部１１０によって処理されたデータ信号に含まれたデータ情報を表示することもできる。
【００２６】
同期信号受信部１３０は、立体メガネ２０から左眼映像及び右眼映像のための同期信号を受信する。同期信号は、立体メガネ２０の左眼シャッター部２２及び右眼シャッター部２４の開閉に基づいて生成された信号として、ＲＦ信号またはＩＲ信号で受信することができる。受信された同期信号は制御部１４０に伝達される。
【００２７】
制御部１４０は、信号処理部１１０などディスプレイ装置１０の他の構成を全般的に制御する。また、制御部１４０は、同期信号受信部１３０で同期信号を受信する場合、受信された同期信号に基づいて立体映像が表示されるように信号処理部１１０を制御する。
【００２８】
例えば、立体メガネ２０から受信された同期信号が、立体メガネ２０の左眼シャッター部２２が開放され、右眼シャッター部２４が閉鎖される時にハイ（HIGH）信号を発生する場合、制御部１４０は、同期信号でハイ信号が発生する時に左眼映像が表示されるようにする。以後、所定の時間が経った後、左眼シャッター部２２が鎖閉され、右眼シャッター部２４が開放される時に右眼映像が表示されるようにする。
【００２９】
一方、同期信号が立体メガネ２０の左眼シャッター部２２が閉鎖され、右眼シャッター部２４が開放される時にハイ（HIGH）信号が発生する場合、制御部１４０は、同期信号でハイ信号が発生する時に右眼映像が表示されるようにする。以後、所定の時間が経った後、右眼シャッター部２４が閉鎖され、左眼シャッター部２２が開放される時点に左眼映像が表示されるようにする。このような方式は、左眼映像及び右眼映像が立体メガネ２０の左眼シャッター部２２及び右眼シャッター部２４の開閉に対応して表示されるようにする一つの方式に該当され、左眼映像及び右眼映像が立体メガネ２０の左眼シャッター部２２及び右眼シャッター部２４の開閉に対応して表示されるようにする方式は多様に構成されることができる。例えば、制御部１４０は、受信された同期信号に基づいて垂直同期信号（Vsync）を生成し、生成された垂直同期信号に基づいて立体映像が表示されるようにすることができる。
【００３０】
図２は、本発明の一実施形態によるシャッター方式の立体メガネ２０の構成を示す図である。図２に示すように、本実施形態によるシャッター方式の立体メガネ２０は、シャッター部２１０、同期信号生成部２２０、信号送信部２３０を含むことができる。
【００３１】
シャッター部２１０は、左眼シャッター部２２及び右眼シャッター部２４を含み、左眼シャッター部２２及び右眼シャッター部２４は交番的に開閉される。
【００３２】
同期信号生成部２２０は、左眼シャッター部２２及び右眼シャッター部２４の開閉に基づいて同期信号を生成することができる。すなわち、左眼シャッター部２２及び右眼シャッター部２４が開閉されるタイミングに基づいて同期信号を生成することができる。生成された同期信号は、ディスプレイ装置１０に送信され、ディスプレイ装置１０は受信された同期信号に基づいて左眼映像及び右眼映像が左眼シャッター部２２及び右眼シャッター部２４の開閉に対応して交番的に表示されるようにする。
【００３３】
一方、同期信号生成部２２０は、既に設定された周期を有する同期信号を生成してシャッター部２１０及びディスプレイ装置１０に伝送することができる。この時、左眼シャッター部２２及び右眼シャッター部２４は、同期信号生成部２２０から送信された同期信号によって開閉され、左眼映像及び右眼映像も同期信号に従って交番的に表示される。
【００３４】
ここで、同期信号は、左眼シャッター部２２または右眼シャッター部２４がオンになる時にトグル（toggle）されるようにすることができる。
【００３５】
信号送信部２３０は、同期信号生成部２２０で生成された同期信号をディスプレイ装置１０に伝送する。ディスプレイ装置１０が複数である場合には、各ディスプレイ装置１０にそれぞれ伝送する。同期信号は、ＲＦ信号またはＩＲ信号で送信されることができる。
【００３６】
図３は、本発明の一実施形態によるディスプレイ装置１０の動作を示すフローチャートである。
【００３７】
信号処理部１１０は、信号受信部１００に入力される交番的な左眼映像及び右眼映像を含む映像信号をディスプレイ部１２０に表示されるように処理する（３００）。同期信号受信部１３０で立体メガネ２０から送信される同期信号を受信すると（３１０）、受信された同期信号は制御部１４０に伝達される。制御部１４０は、同期信号に基づいて左眼映像及び右眼映像を左眼シャッター部２２及び右眼シャッター部２４の開閉に対応して交番的に表示されるように信号処理部１１０を制御する（３２０）。
【００３８】
図４は、本発明の一実施形態によるシャッター方式の立体メガネ２０の動作を示すフローチャートである。
【００３９】
同期信号生成部２２０は、左眼シャッター部２２及び右眼シャッター部２４の開閉４００に基づいてディスプレイ装置１０で左眼映像及び右眼映像が左眼シャッター部及び右眼シャッター部の開閉に対応して交番的に表示されるための同期信号を生成する（４１０）。その後、信号送信部２３０は、生成された同期信号をディスプレイ装置１０に伝送する（４２０）。
【００４０】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００４１】
１００  信号受信部
１１０  信号処理部
１２０  ディスプレイ部
１３０  同期信号受信部  
１４０  制御部
【図１】
2011155631.tif 000003
【図２】
2011155631.tif 000004
【図３】
2011155631.tif 000005
【図４】
2011155631.tif 000006